(57)【要約】【課題】競技者が面倒な手間を掛けずにプレイ情報の記録管理をすることができ、しかも、同一条件下における統計的データに基づく詳細且つ的確な比較情報を入手することができ、ゴルフ場側にあっては、効果的な広告宣伝を容易且つ低廉に行い得ると同時に、来場の強力な動機付けになるようなサービスの提供が可能なゴルフ情報管理配信システムの提供を課題とする。【解決手段】ゴルフ場側端末装置と競技者側端末装置と本部サーバ装置とによってネット構成し、競技者側が専用スコアカードにスコア情報を競技者情報と共に記入してゴルフ場側に提出し、ゴルフ場側が該スコアカードに記入された情報を本部側サーバ装置に送信し、これを本部側サーバ装置が一元的に記憶管理するとともに、前記各端末からの開示要求があった際、データ処理により開示要求情報をＷｅｂページ用のファイルに生成してインターネットを介して配信する。【選択図】　図１
2004078492.tif 000002
【特許請求の範囲】
【請求項１】
ゴルフ場側端末装置及び競技者側端末装置と、予め設定されたプロクラムによりシステム機能するサーバー機能付きコンピュター装置である本部側サーバ装置とによってネットワーク構成され、本部側サーバ装置によって、ゴルフ場側端末装置から入力送信されるゴルフ場情報、ゴルフ場側端末装置又は競技者側端末装置から入力送信される競技者情報及びゴルフ場側端末装置から入力送信されるスコア情報がそれぞれゴルフ場毎、競技者毎及びスコアカード毎にファイル生成され一元的に記憶管理されているとともに、前記ゴルフ場側端末装置又は競技者側端末装置からの開示要求があった際に、開示要求情報を前記憶管理されている各種情報のデータ処理により抽出又は算出してＷｅｂページ用ファイルに生成し、これをインターネットを介して前記ゴルフ場側端末装置又は競技者側端末装置に配信することを特徴としたゴルフ情報管理配信システム。
【請求項２】
ゴルフ競技者側が専用スコアカードに所定のスコア情報を所定の競技者情報と共に記入してゴルフ場側に提出するステップと、ゴルフ場側が前記スコアカードに記入されたスコア情報等をゴルフ場側端末装置によって本部側サーバ装置に入力送信するステップと、該情報を受信した本部側サーバ装置が該情報を記憶又は更新するステップとを有するとともに、前記ゴルフ場側端末装置又は競技者側端末装置からの開示要求があった場合に、開示要求情報を予め記憶されたプログラムに基づく手順と手法に従ってデータ処理するステップと、その結果を所定のファイル形式に自動生成するステップと、該ファイル化された開示要求情報をインターネットを介して前記ゴルフ場側端末装置又は競技者側端末装置に配信するステップとを有することを特徴とした請求項１に記載するゴルフ情報管理配信システム。
【請求項３】
前記スコア情報に、コンペ名、当該コンペにおけるハンデ又はハンデ算出方式を含め、コンペ名とプレー日によって特定されたコンペ成績をコンペハンデ若しくはハンデ算出方式に従って自動算出されたハンデに基づいて集計し、その結果を表形式のＷｅｂページ用ファイルに生成し、これをインターネットを介して前記ゴルフ場側端末装置又は競技者側端末装置に送信出力することを可能とした請求項１及び２に記載のゴルフ情報管理配信システム。
【発明の詳細な説明】
【０００１】
【発明の属する技術分野】
本発明は、多くのゴルフ競技者のプレイ情報を、競技者情報及びゴルフ場情報とともにホストコンピューターサーバ装置で一元的に管理するとともに、該プレイ情報等をＰＣや携帯電話等の情報端末装置にインターネットを介して配信するシステムに関する。
【０００２】
【従来の技術】
従来、ゴルフ競技者が個人のプレイ情報（プレイ年月日、プレイゴルフ場及びコース、記録スコア、ドライブ距離、ニアピン距離等）を記録しておくには、単にスコアカードを保存しておくことから、市販のプログラムソフトを利用してこれらプレイ情報を電子的に記憶させ、入力データを検索、集計、比較して、その結果を出力表示する方法等が知られている。このように自己のプレイ情報を時系列的に記録しておき、後日その記録を見ることは、ゴルフ競技者にとって次回以降のプレイでの参考となりスコア向上に結びつくことは勿論、そのこと自体が楽しみにもなっている。しかしながら、このようなプレイ情報の記録や保存管理は面倒な作業が伴うため、継続できないのが常となっている。
【０００３】
また、近時、ＰＣ（パーソナルコンピューター）や携帯電話等の情報端末装置の普及と、これら情報端末装置によるインターネット利用者の増大に伴い、多くのゴルフ競技者からのプレイ情報をＷｅｂサイトから入手することが容易となっており、更に、これら多数のゴルフ競技者から寄せられた実際のプレイ情報を比較分析して順位付けするようなＷｅｂサイトも存在する。しかしながら、これらのＷｅｂサイトにより、ゴルフ競技者が自己の記録スコアと他者のそれとを比較しようとした場合、比較の基礎となるデータは、多数の競技者から寄せられた実際上のデータであるとしても、それぞれ異なったプレイ条件（ゴルフ場、コース、ホール、プレイ日の天候条件等）下におけるデータであるため、その集計結果は、同一条件下における統計的データに基づく詳細且つ的確なものとはなっていない。
【０００４】
更に、各ゴルフ場におけるターゲットユーザー（自ゴルフ場の利用者又は利用可能性のある者）は、地域的には勿論のこと、人的にもメンバーやメンバー紹介のビジター等、極めて限定された範囲に在るにも拘わらず、上記の順位付け等を目的としたＷｅｂサイトは、不特定多数のゴルフ競技者が閲覧利用するだけで、各ゴルフ場のターゲットユーザーが閲覧利用することは極稀である。従って、ゴルフ場側にあっても、これらＷｅｂサイトに広告掲載し、或いは、自ゴルフ場が独自に開設したホームページをリンクさせても、自ゴルフ場のターゲットユーザーが閲覧利用することは極稀で、来場者数の増加や潜在的ユーザーの獲得固定化には直接結びつかず、広告料やリンク料の割には十分な成果が得られていないのが現状である。
【０００５】
【発明が解決しようとする課題】
本発明は、上記した従来システムの実情に鑑みなされたもので、ゴルフ競技者側にあっては、自らが面倒な手間暇を掛けずにプレイ情報の記録管理をすることができ、しかも、同一条件下における多くの統計的な他競技者のプレイ情報との比較分析による詳細且つ的確な集計結果を入手することができ、ゴルフ場側にあっては、ターゲットユーザーを対象とした効果的な広告宣伝を容易且つ低廉に行い得ると同時に、競合ゴルフ場との差別化を図り、来場の強力な動機付けになるようなサービスの提供が可能なゴルフ情報管理配信システムの提供を課題とする。
【０００６】
【課題を解決するための手段】
本発明によるゴルフ情報管理配信システムは、ゴルフ場側端末装置とゴルフ競技者側端末装置とホストコンピュターサーバ（本部サーバ装置）とによってネットワーク構成し、ゴルフ競技者側が競技終了後、専用スコアカードにスコア情報を競技者情報と共に記入してゴルフ場側に提出し、ゴルフ場側が該スコアカードに記入されたスコア情報等をゴルフ場側端末装置に表示された専用の入力画面から本部側サーバ装置に入力送信し、これを受信した本部側サーバ装置が該情報を一元的に記憶管理するとともに、端末装置からの開示要求があった際に、プログラムに基づくデータ処理により、開示要求のあったスコア情報等をＷｅｂページ用のファイル形式に自動生成してこれをインターネットを介して配信するシステムであることを特徴とする。
【０００７】
【発明の実施の形態】
以下、本発明によるゴルフ情報管理配信システム一実施形態について、図面に基づいて説明する。
【０００８】
図１は、本実施形態に係るゴルフ情報管理配信システムの基本構成図で、１０は本部側サーバ装置、３０はＰＣ等からなる複数のゴルフ場側端末装置、５０はＰＣ又は携帯電話等からなる複数のゴルフ競技者（競技者）側端末装置を示し、ゴルフ場側端末装置３０と競技者側端末装置５０とは、公衆電話回線を介して本部側サーバ装置１０にインターネット接続される。
【０００９】
この本部側サーバ装置１０は、インターネット接続が可能なよう送信手段１１及び受信手段１２と、入力手段１３、出力手段１４、記憶手段１５、演算手段１６、制御手段１７の各基本手段とを備え、予めプログラミングされた手順や手法に従って情報処理が行われるようシステム設計され、会員登録、ＩＤ付与、スコアーの入力・集計・分析・比較、ハンディキャプの算出、順位決定等のための独自の支援ソフトが記憶されたサーバ機能付コンピューター装置で、ゴルフ場データベース１９、競技者データベース２０、スコアデータベース２１からなるデータベース群を有し、電子メール送信装置１８が接続されている。
【００１０】
ゴルフ場側端末装置３０は、ＰＣ等の汎用の情報通信端末からなり、インターネット接続が可能なよう送信手段３１と受信手段３２とを有し、その他、ハードディスク等よりなる記憶手段３３、ディスプレイやプリンター等よりなる出力（表示）手段３４及びキーボード、マウス、スキャナ等よりなる入力手段３５等の周辺機器を備え、適宜にサーバ機能を有する。
【００１１】
競技者側端末装置５０は、ＰＣ又はネット接続が可能な携帯電話（例えば、ＮＴＴのｉモード対応携帯電話）等の汎用の情報通信端末からなり、インターネット接続が可能なよう送信手段５１と受信手段５２とを有し、その他、ハードディスク（メモリ）等よりなる記憶手段５３、ディスプレイ（表示部）やプリンター（又はプリンターポート）等よりなる出力（表示）手段５４及びキーボード（操作部）やマウス等よりなる入力手段５５等を適宜備える。
【００１２】
図２は、本部側サーバ装置１０が備えるデータベース群のファイル構成の概要を示したもので、ゴルフ場データベース１９には、ゴルフ場側が本システム入会（会員登録）の際に、ゴルフ場側端末装置３０等から送信されてきた当該ゴルフ場に関する各種情報（ゴルフ場情報Ａ）を、付与されるＩＤ及び届け出たパスワードと共にゴルフ場毎にファイル生成して蓄積したもので、このゴルフ場情報Ａには、当該ゴルフ場の名称、住所、運営会社、代表者、電話番号、ＦＡＸ番号、電子メール番号、コース概要、ホール数、会員数、施設概要、アクセス案内等（ゴルフ場属性情報Ａ１）と、コース毎のコース名、ティーポジション別総距離、コースレート等（コース属性情報Ａ２）と、各ホール毎のホール番号、ティーポジション別距離、パー、ホールハンデ、各ホールの攻略法等（ホール属性情報Ａ３）が含まる。
【００１３】
また、競技者データベース２０は、会員登録の際にゴルフ場側端末装置３０又は競技者側端末装置５０から送られてくる当該ゴルフ競技者に関する各種情報（競技者情報Ｂ）を、付与されるＩＤ及び届け出たパスワードと共に競技者毎にファイル生成して蓄積したもので、この競技者情報Ｂには、当該競技者の氏名、性別、年齢（生年月日）、住所、電話番号、携帯電話若しくはＰＣの電子メール番号、ゴルフ場の会員番号、オフィシャルハンデ等が含まれる。
【００１４】
また、スコアデータベース２１は、ゴルフ場側端末装置３０から送られてきた各競技者のスコア（スコア情報Ｃ）をプレー（スコアカード）毎にファイル生成して蓄積したもので、このスコア情報Ｃには、各ホール別スコアとパット数、ドラコンホールでの飛距離、ニヤピンホールでのピンからの距離、パーオンホール等（スコア基礎情報Ｃ１）と、各コース並びにＯＵＴ・ＩＮ別トータルスコアとそのトータルパット数、ドラコンホールでの順位、ニヤピンホールでの順位、パーセーブ率、平均パット数等（集計スコア情報Ｃ２）のほか、プレー年月日、当日の天候、コンペ名、コンペハンデ又はハンデ決定方式等（スコア参考情報Ｃ３）が含まれる。
【００１５】
上記各データベースにおけるファイルは、競技者ＩＤ、ゴルフ場ＩＤ、プレー日、コース名、ホール番号、コンペ名等をキーワードとして相互に関連付けられ、端末からの要求があった場合、競技者毎の総合成績（スコア・平均ストローク・平均パット数・パーオン率・ドラコン平均飛距離・ニアピン平均距離・各順位等）、期間別成績、プレー日別成績、コース別成績、ホール別成績のほか、当該競技者が属するコンペ成績がデータ処理されて提供される。
【００１６】
図３は、本実施形態例にて用いられる専用のスコアカードで、前記競技者情報やスコア情報等が記入されるよう図示の如く設計され、最初に該カードを提出する競技者は、記入された各項目情報をゴルフ場側が本部側サーバー装置１０に入力送信することによって自動的に競技者ＩＤが付与され本システムの登録会員となる。このスコアカードには、競技者氏名と競技者氏名と合わせて当該競技者を特定できる何れかの競技者情報（競技者ＩＤ、ゴルフ場の会員番号、生年月日、住所、電話番号若しくは電子メール番号の何れか）とスコア情報Ｃを記入すればよく、同伴競技者のサインがある場合には、オフィシャルハンデ取得用のスコアーカードとすることができる。
【００１７】
また、競技者が参加するコンペ（競技会）成績の記録閲覧を希望する場合、或いは、ゴルフ場側がコンペ成績の集計を代行する場合には、コンペ名とコンペハンデ（又はハンデ算出方式）を記入したスコアカードをコンペ参加者全員が提出する。
【００１８】
次に、本発明システムのフローを図４乃至図９に基づいて説明する。
本発明システムにあっては、ゴルフ場側及び競技者側ともに会員登録を行うものとし、ゴルフ場側による会員登録の申込みは（以下、図５参照）、ゴルフ場側端末装置３０より本部側サーバー装置１０にアクセスし、ゴルフ場向け入会申込用の専用Ｗｅｂページから、前記ゴルフ場情報Ａ（ゴルフ場の属性情報Ａ１、コース属性情報Ａ２、ホール属性情報Ａ３）をパスワード（任意）と共に入力し、これを本部側サーバ装置１０に送信することにより行う（Ｓｔ１）。このゴルフ場情報Ａの送信（提供）は、必ずしもＷｅｂ送信である必要はなく、ＦＡＸや郵送であってもよい。
【００１９】
ゴルフ場側よりゴルフ場情報Ａを受信した本部側は、各ゴルフ場毎のゴルフ場ＩＤを付与し（Ｓｔ２）、受信したゴルフ場情報Ａと共に記憶手段１５によってゴルフ場データベース１９にファイル生成して記憶格納する（Ｓｔ３）とともに、この記憶情報（登録内容）を付与したＩＤ番号と共にゴルフ場側にＷｅｂ、ファックス、郵便又は電子メールの何れかの方法をもって通知する（Ｓｔ４）。これによって当該ゴルフ場の会員登録は完了し、以後、登録したゴルフ場情報Ａを追加、変更又は削除する場合には、ゴルフ場側が付与されたゴルフ場ＩＤ及び届け出たパスワードを入力送信し（Ｓｔ５）、これを本部側が照合確認し（Ｓｔ６）、当該ゴルフ場のゴルフ場ファイルを開示し（Ｓｔ７）、ゴルフ場側はこれにログインし（Ｓｔ８）、変更ゴルフ場情報又は追加ゴルフ場情報を入力送信し（Ｓｔ９）、これを受信した本部側は記憶している当該ゴルフ場のゴルフ場情報Ａを更新する（Ｓｔ１０）。
【００２０】
競技者の会員登録は（以下、図６参照）、原則的には当該競技者が本システムの会員登録を済ませたゴルフ場に、最初に本システム専用のスコアカード（図３）を提出する（Ｓｔ１１）ことによりなされる。先ず、スコアカードの提出を受けたゴルフ場側は、ゴルフ場側端末装置３０より付与されたゴルフ場ＩＤ及び届け出たパスワードを本部側サーバ装置１０に入力送信し（Ｓｔ１２）、これを本部側が照合確認すると（Ｓｔ１３）、競技者情報Ｂとスコア情報Ｃとを入力するＷｅｂ用の入力専用画面を開示し（Ｓｔ１３）、ゴルフ場側はこれにログインし（Ｓｔ１４）、
スコアカードに記入された該競技者の競技者情報Ｂを、スコア情報Ｃと共に入力送信（Ｓｔ１５）する。
【００２１】
この際、入力送信する競技者情報Ｂは、競技者氏名のみであってもよいが（ゴルフ場ＩＤ情報と合わせると当該競技者はほぼ特定される。）、同性同名の競技者が同一ゴルフ場を利用することも考慮して、ゴルフ場の会員番号（メンバーである場合）、生年月日、電話番号又はＥメール番号等、競技者氏名及びゴルフ場ＩＤと併せて当該競技者を特定できる何れかの情報を入力送信することが好ましい。これ以外の競技者情報の入力送信の有無は、提供サービス（電子メール等への各種情報の自動送信、本システムが主催する年齢別競技会へのエントリー等）に差異が生じるものの会員登録には支障はなく、競技者情報Ｂの追加や変更は、二回目以降のスコアカード提出の際、又は、登録された競技者各人が直接本部側サーバー装置１０にアクセスして競技者情報入力用の専用Ｗｅｂページから行う（Ｓｔ２２〜）ことも可能である。
【００２２】
ゴルフ場側端末装置３０よりスコア情報Ｃと共に競技者情報Ｂを受信した本部側サーバ装置１０は、該競技者情報Ａが新規（未登録）競技者の情報であるか否かを判別し（Ｓｔ１６）、未登録競技者の情報である場合には、競技者毎の競技者ＩＤを付与し（Ｓｔ１７）、該競技者情報Ｂを記憶手段１５によって競技者データベース２０にファイル生成して記憶格納する（Ｓｔ２０）。これによって当該競技者の会員登録は完了し、この登録内容（記憶競技者情報Ｂ）は、付与した競技者ＩＤ及び本部側サーバ装置１０のＷｅｂページのＵＲＬとともに電子メールにて送信され（Ｓｔ２１）、競技者のＥメール情報がない場合には、ゴルフ場側がこれら情報を会員カード形式でプリント出力して渡す等の適宜方法をもって通知する。
【００２３】
また、受信した競技者情報Ｂが既登録競技者の情報である場合には、該情報中に追加又は変更情報があるか否かを判別し（Ｓｔ１８）、追加又は変更情報がある場合には、記憶格納されている該競技者情報Ｂの更新を行い（Ｓｔ１９）、何ら変更追加情報のない場合にはスコア情報Ｃのみを記憶し（Ｓｔ２０）、スコアの登録が完了したＥメールを競技者側端末装置に送信する（Ｓｔ２１）。
【００２４】
以後、競技者情報Ｂの追加や変更はスコアカード提出の度に行われ、また、登録された競技者各人が競技者側端末装置５０から直接本部側サーバー装置１０にアクセスし、付与された競技者ＩＤ及び届け出たパスワードを入力送信し（Ｓｔ２２）、これを本部側が照合確認して（Ｓｔ２３）当該競技者の競技者情報Ｂの入力画面を開示し（Ｓｔ２４）、競技者側はこれにログインして（Ｓｔ２５）、追加競技者情報又は変更競技者情報を入力送信し（Ｓｔ２６）、これを受信した本部側は、当該競技者の競技者情報Ｂを更新する（Ｓｔ２７）ことによっても行われる。
【００２５】
続いて、本発明システムを利用して、各端末からスコア情報等を検索閲覧する際のフローを説明する（図７乃至９参照）。
【００２６】
スコア登録の完了を知らせる電子メールを受信（Ｓｔ１１）した競技者は、競技者側端末装置５０より本部側サーバ装置１０にアクセスし、表示されたＷｅｂ画面からスコア情報の検索閲覧を選択し、競技者ＩＤと届け出てあるパスワードを入力送信する（Ｓｔ２８）。これを受信した本部側サーバー装置１０がＩＤとパスワードを照合する（Ｓｔ２９）ことによってアクセスしてきた競技者を特定確認し、選択要求された項目に対応するスコア情報を検索、集計及び算出する（Ｓｔ３０）とともに、Ｗｅｂ用ファイルに生成して（Ｓｔ３１）、競技者側端末装置５０に送信出力し（Ｓｔ３２）、これを競技者側が閲覧し（Ｓｔ３３）、必要に応じてプリンタ出力する（Ｓｔ３４）ものである。
【００２７】
図８は、上記競技者のスコア情報検索閲覧ステップを、競技者側端末装置５０又はゴルフ場側端末装置３０のディスプレイに現出した画面例で示したもので、予め記載保存されている本部側サーバ装置１０のＷｅｂページＵＲＬを入力すると、最初にトップ画面１００が現出して要求する情報の選択項目Ｘが示される。このトップ画面１００で示された選択項目Ｘの中の「スコア情報」を選択すると、スコア情報検索画面１０１が表示され、競技者ＩＤ及びパスワードの入力を促す欄が示される。ここで「競技者ＩＤ」及び「パスワード」を入力すると、該競技者が同一ＩＤで登録してあるゴルフ場（系列ゴルフ場）を示すゴルフ場選択画面１０３が現出し、ここで該当「ゴルフ場」を選択すると選択したゴルフ場のスコア検索画面１０４が現出する。
【００２８】
このスコア検索画面１０４には、要求する具体的なスコア情報の選択項目Ｙが示され、この選択項目Ｙには「総合成績」「期間別成績」「プレー日別成績」「コース別成績」「ホール別成績」「ドラコンランキング」「ニアピンランキング」「コンペ成績」等があり、これらの各種成績は、選択要求と同時に本部側サーバ装置１０のＣＰＵ（記憶手段１５、演算手段１６、制御手段１７）が予め記憶された情報及びプログラムに基づきデータ処理（集計、分析、比較）することにより算出し、その結果をＷｅｂページ用のファイル形式に生成して出力するものである。
【００２９】
例えば、スコア検索画面１０４の選択項目Ｙのうち、「総合成績」を選択すると、総合成績画面１０５が表示され、入力された全スコアを集計した総合順位、平均ストローク、平均パット数、パーオン率等が競技者氏名及びオフィシャルハンデとともに表示され、「期間別成績」を選択すると、指定する期間の入力を促す画面１０６が表示され、ここで期間を指定入力すると、該当期間に於けるスコアを集計した前記総合成績画面１０５と同様な期間成績画面１０７が表示され、「プレー日別成績」を選択すると、プレー日とコース名とＯＵＴ・ＩＮ別スコアが一覧提示されたプレー履歴画面１０８が表示され、ここで所望のプレー日を選択すると、当該プレー日のスコア詳細画面１０９が表示される。
【００３０】
また、選択項目Ｙのうち、「コンペ成績」を選択すると、当該競技者が参加したコンペ名称を一覧提示したコンペ一覧画面１１０が表示され、ここで所望のコンペ名称を選択すると、当該コンペが行われた開催日一覧画面１１１が表示され、ここで、ここで所望の開催（プレー）日を選択すると、当該コンペの当該開催日における成績表画面１１２が表示される。
【００３１】
尚、「コンペ成績」情報を得るには、当該競技者を含むコンペ参加者全員がコンペ名、当該コンペにおけるハンデ又はハンデ算出方式（オフィシャルハンデ方式、プライベートハンデ方式、ペリア方式、ダブルペリア方式等の別）を含むスコア情報を記入した本システム専用のスコアカードの提出が必要となる。
【００３２】
コンペ名、ハンデ決定方式、コンペハンデを含むスコア情報を受信した本部側サーバ装置１０は、コンペ名と開催（プレー）日によって特定されたコンペ参加者（競技者）のスコア情報を、データ処理（ペリア方式、ダブルペリア方式における隠しホールのランダム抽出及びハンデの自動算出を含む集計、分析、比較）してネット順位、グロス順位等を算出し、前記成績表画面１１２と同仕様のコンペ成績表ファイルを自動生成し、これをゴルフ場側端末装置３０及び競技者側端末装置５０に配信するものである。
【００３３】
このコンペ成績表ファイルは、上記競技者端末装置５０による手順と同様の手順によってゴルフ場側端末装置３０からも検索閲覧及び出力（プリントアウト）することができるので、定期的に開催される月例大会の成績集計作業や、ゴルフ場のサービス業務の一つとして行われるプライベートコンペの成績集計作業が容易なものとなる。
【００３４】
図９は、ゴルフ場情報の検索閲覧ステップを、競技者側端末装置５０又はゴルフ場側端末装置３０のディスプレイに現出した画面例で示したもので、予め記載保存されている本部側サーバ装置１０のＷｅｂページＵＲＬを入力すると、最初にトップ画面１００が現出して要求する情報の選択項目Ｘが示される。このトップ画面１００で示された選択項目Ｘの中で「ゴルフ場情報」を選択すると、ゴルフ場を選択特定する方法「一覧」「指定」を提示したゴルフ場検索画面２０１が表示され、これより「指定」による方法を選択すると、ゴルフ場ＩＤ、所在地又は名称の何れかの入力を促す検索条件入力画面２０２が表示される。
【００３５】
ここで、ゴルフ場ＩＤ、所在地又は名称の何れかの情報を入力すると、該当するゴルフ場のトップ画面２０３が現出し、要求する具体的なスコア情報の選択項目Ｚが示される。この選択項目Ｚには「ゴルフ場概要」「新着情報」「コースレイアウト」「攻略法」「アクセスガイド」「コース概要」「付帯設備」「料金表」「予約」「お問い合せ」等があり、これらの各項目に対応する情報は、基本的には本部側サーバ装置１０のゴルフ場データベース１９に記憶格納されるものであるが、前記スコア情報Ｃのデータ処理と直接関連しない情報、例えば、「新着情報」「アクセスガイド」「付帯設備」「料金表」「予約」「お問い合せ」等に関する情報は、それぞれのゴルフ場が独自に開設するホームページ内の対応するページＵＲＬを記載しておき、直接当該各ゴルフ場のホームページにリンクさせて開示するようにしたものであってもよい。
【００３６】
ゴルフ場のトップ画面２０３の選択項目Ｚで、例えば「新着情報」を選択すると、ゴルフ場側からのお知らせや最新ニュースのタイトルを一覧提示した新着情報一覧画面２０４が表示され、ここで所望のニュースタイトルを選択すると、当該ニュースの詳細が書き込まれたニュース詳細画面２０５が表示され、「アクセスガイド」を選択すると、車で来場する場合と電車で来場する場合の選択を促す来場方法選択画面２０６が表示され、ここで何れかの方法を選択すると、その詳細な来場方法が案内図と共に提示された来場方法画面２０７が表示される。
【００３７】
また、選択項目Ｚのうち、「コースレイアウト」又は「攻略法」を選択すると、コース選択画面２０８が現れ（複数コースがある場合）、ここで所望コース（画面例ではＡコース）を選択すると、各コースのホール別のホール番号、ティーポジション別距離、パー、ホールハンデ等の情報が各コースのコース名、距離、コースレイト等と共に一覧提示されたホール一覧画面２０９が表示される。更に、このホール一覧画面２０９から所望ホールを選択すると、該ホールの全景がイラスト画等によって表現されたホール全景画像画面２１０が表示され、これより「攻略法」を選択すると、該ホールの移動イラスト動画等を伴った攻略法の説明がされたホール攻略画面２１１が表示される。
【発明の効果】
【００３８】
本発明に係るゴルフ情報管理配信システムは、以上のような構成及びステップからなり、ゴルフ競技者は専用スコアカードをプレーした会員ゴルフ場に提出することで本システムの登録競技者となることができるとともに、スコア情報等の入力送信もゴルフ場側によって行われるので、ゴルフ競技者は特別面倒な手間暇を掛けることなく自己のスコア情報やコンペ成績の詳細を記録管理することができる。
【００３９】
また、本部側サーバ装置に記憶（記録）された自己のスコアやコンペ成績等は、インターネットを介してＰＣや携帯電話等により容易に検索閲覧することができ、そこでのスコア情報は、同一条件（ゴルフ場、コース、ホール、プレイ日等）下での多くの他者データと比較されているため、的確且つ詳細なものとなっている。
【００４０】
更に、ゴルフ場側にとっても、本システムの採用は、ターゲットユーザーを対象とした効果的な広告宣伝を容易且つ低廉に行い得ると同時に、来場の強力な動機付けになるようなサービースの提供にもなり、極めて有用である。
【図面の簡単な説明】
【図１】本発明に係るゴルフ情報管理配信システムの基本構成図。
【図２】同上システムにおける本部側サーバ装置のファイル構成概要図。
【図３】同上システムで用いられるスコアーカード例示図。
【図４】同上システムのフロー概念図。
【図５】同上システムにおけるゴルフ場の会員登録フロー図。
【図６】同上システムにおける競技者の会員登録及びスコア登録フロー図。
【図７】同上システムにおけるスコア情報の検索閲覧フロー図。
【図８】同上システムにおけるスコア情報の検索閲覧の際に、端末装置ディスプレイに現出した画面例図。
【図９】同上システムにおけるスゴルフ場情報の検索閲覧の際に、端末装置ディスプレイに現出した画面例図。
【符号の説明】
１０　本部側サーバ装置
１１　同上の送信手段
１２　同上の受信手段
１３　同上の入力手段
１４　同上の出力手段
１５　同上の記憶手段
１６　同上の演算手段
１７　同上の制御手段
１８　電子メール送信装置
１９　ゴルフ場データベース
２０　競技者データベース
２１　スコアデータベース
３０　ゴルフ場側端末装置
５０　競技者側端末装置
【図１】
2004078492.tif 000003
【図２】
2004078492.tif 000004
【図３】
2004078492.tif 000005
【図４】
2004078492.tif 000006
【図５】
2004078492.tif 000007
【図６】
2004078492.tif 000008
【図７】
2004078492.tif 000009
【図８】
2004078492.tif 000010
【図９】
2004078492.tif 000011